(57)【特許請求の範囲】
【請求項１】
操作部と、
第一モード、および、前記操作部の設定操作に応じて所定の設定を行うことが可能な第二モードを設定するモード設定部と、
計測部と、
時刻表示以外の所定動作を実行する所定動作部と、を備え、
前記計測部は、前記第二モードが設定された場合、前記所定動作が実行されておらず、かつ、前記操作部の操作が行われていない状態の継続時間をカウントし、
前記モード設定部は、
前記操作部のモード切替操作に応じて前記第二モードを設定し、
前記第二モードが設定された後、前記継続時間が所定時間に達すると、前記第二モードに替えて前記第一モードを設定する
ことを特徴とする電子時計。
【請求項２】
請求項１に記載の電子時計において、
前記モード設定部は、
第三モードを設定でき、
前記第二モードが設定された後、前記継続時間が前記所定時間に達すると、前記第一モードおよび前記第三モードのうち、直前に設定されていたモードを設定する
ことを特徴とする電子時計。
【請求項３】
操作部と、
第一モード、および、前記操作部の設定操作に応じて所定の設定を行うことが可能な第二モードを設定するモード設定部と、
計測部と、
時刻表示以外の所定動作を実行する所定動作部と、
前記所定の設定が行われることを規制する規制部と、を備え、
前記モード設定部は、前記操作部のモード切替操作に応じて前記第二モードを設定し、
前記計測部は、前記第二モードが設定された場合、前記所定動作が実行されておらず、かつ、前記操作部の操作が行われていない状態の継続時間をカウントし、
前記規制部は、前記第二モードが設定された後、前記継続時間が所定時間に達すると、前記所定の設定が行われることを規制する
ことを特徴とする電子時計。
【請求項４】
請求項１から請求項３のいずれか１項に記載の電子時計において、
前記計測部は、実行されていた前記所定動作が終了すると、初期値からカウントを再開する
ことを特徴とする電子時計。
【請求項５】
請求項１から請求項３のいずれか１項に記載の電子時計において、
前記計測部は、実行されていた前記所定動作が終了すると、前記所定動作が実行される直前のカウント値からカウントを再開する
ことを特徴とする電子時計。
【請求項６】
操作部と、
第一モード、および、前記操作部の設定操作に応じて所定の設定を行うことが可能な第二モードを設定するモード設定部と、
計測部と、
時刻表示以外の所定動作を実行する所定動作部と、を備え、
前記計測部は、前記第二モードが設定された場合、前記操作部の操作が行われていない状態の継続時間をカウントし、
前記所定動作部は、前記所定動作を実行した後、動作時間が設定時間に達すると、前記所定動作を終了し、
前記モード設定部は、
前記操作部のモード切替操作に応じて前記第二モードを設定し、
前記第二モードが設定され、かつ、前記所定動作が実行されない場合、前記継続時間が所定時間に達すると、前記第二モードに替えて前記第一モードを設定し、
前記第二モードが設定され、かつ、前記所定動作が実行された場合、前記継続時間が、前記所定時間に前記設定時間以上の時間を加算した加算時間に達すると、前記第二モードに替えて前記第一モードを設定する
ことを特徴とする電子時計。
【請求項７】
請求項６に記載の電子時計において、
前記モード設定部は、
第三モードを設定でき、
前記第二モードが設定された後、前記継続時間が前記所定時間に達すると、前記第一モードおよび前記第三モードのうち、直前に設定されていたモードを設定する
ことを特徴とする電子時計。
【請求項８】
操作部と、
第一モード、および、前記操作部の設定操作に応じて所定の設定を行うことが可能な第二モードを設定するモード設定部と、
計測部と、
時刻表示以外の所定動作を実行する所定動作部と、
前記所定の設定が行われることを規制する規制部と、を備え、
前記モード設定部は、前記操作部のモード切替操作に応じて前記第二モードを設定し、
前記計測部は、前記第二モードが設定された場合、前記操作部の操作が行われていない状態の継続時間をカウントし、
前記所定動作部は、前記所定動作を実行した後、動作時間が設定時間に達すると、前記所定動作を終了し、
前記規制部は、
前記第二モードが設定され、かつ、前記所定動作が実行されない場合、前記継続時間が所定時間に達すると、前記所定の設定が行われることを規制し、
前記第二モードが設定され、かつ、前記所定動作が実行された場合、前記継続時間が、前記所定時間に前記設定時間以上の時間を加算した加算時間に達すると、前記所定の設定が行われることを規制する
ことを特徴とする電子時計。
【請求項９】
請求項１から請求項８のいずれか１項に記載の電子時計において、
前記所定動作部は、前記所定動作を実行した後、動作時間が設定時間に達すると、前記所定動作を終了し、
前記所定時間は、前記設定時間以下である
ことを特徴とする電子時計。
【請求項１０】
請求項１から請求項９のいずれか１項に記載の電子時計において、
前記所定動作は、アラーム鳴鐘である
ことを特徴とする電子時計。
【請求項１１】
請求項１から請求項１０のいずれか１項に記載の電子時計において、
アラーム機能部、または、前記操作部の操作に応じて選択されたタイムゾーンの現在時刻を設定するワールドタイム機能部を備え、
前記所定の設定は、アラーム時刻の設定、または、前記現在時刻の設定である
ことを特徴とする電子時計。
【発明の詳細な説明】
【技術分野】
【０００１】
本発明は、複数のモードが設定可能な電子時計に関する。
【背景技術】
【０００２】
従来、通常モードと、アラームモードなどの所定のモードとが設定可能な電子時計において、操作部が操作されて所定のモードが設定された後、操作部の操作が行われていない状態の継続時間が所定時間に達すると、自動的に通常モードが設定される電子時計が存在する（例えば、特許文献１参照）。
【先行技術文献】
【特許文献】
【０００３】
【特許文献１】特開平５−８７９５７号公報
【発明の概要】
【発明が解決しようとする課題】
【０００４】
ところで、従来の電子時計では、所定のモードが設定された後、例えばアラーム鳴鐘などの所定動作が実行された場合、ユーザーが操作部を操作せずに所定動作が終了するのを待っていると、前記継続時間が所定時間に達し、自動的に通常モードが設定されてしまう場合がある。この場合、ユーザーは、所定のモードにおける、例えばアラーム時刻などの設定を行うことができないため、電子時計が使いにくいという問題がある。
また、所定のモードが設定された後、前記継続時間が所定時間に達すると、自動的に所定のモードにおける設定を行うことが規制されるような電子時計においても、同様の問題がある。すなわち、このような電子時計では、所定のモードが設定された後、所定動作が実行された場合、ユーザーが操作部を操作せずに所定動作が終了するのを待っていると、前記継続時間が所定時間に達し、設定を行うことが自動的に規制されてしまう場合がある。この場合も、ユーザーは、所定のモードにおける設定を行うことができない。
【０００５】
本発明の目的は、モードの設定を適切に制御でき、使い易さを向上できる電子時計を提供することにある。
【課題を解決するための手段】
【０００６】
本発明の電子時計は、操作部と、第一モード、および、前記操作部の設定操作に応じて所定の設定を行うことが可能な第二モードを設定するモード設定部と、計測部と、時刻表示以外の所定動作を実行する所定動作部と、を備え、前記計測部は、前記第二モードが設定された場合、前記所定動作が実行されておらず、かつ、前記操作部の操作が行われていない状態の継続時間をカウントし、前記モード設定部は、前記操作部のモード切替操作に応じて前記第二モードを設定し、前記第二モードが設定された後、前記継続時間が所定時間に達すると、前記第二モードに替えて前記第一モードを設定することを特徴とする。
【０００７】
第一モードは、例えば、通常モードである。第二モードは、アラーム時刻を設定できるアラーム設定モードなどであり、所定の設定は、アラーム時刻の設定などである。
所定動作は、例えば、アラーム鳴鐘や、標準電波や衛星信号を受信する受信処理などである。所定動作は、動作時間が設定時間に達した場合や、操作部の操作に応じて終了する。
本発明によれば、所定動作が実行されている間は、前記継続時間のカウントは行われない。このため、第二モードが設定された後、所定動作が実行された場合、ユーザーが、所定動作が終了するまで操作部を操作せずにいても、前記継続時間が所定時間に達することはないため、所定動作が終了した後に、第二モードが設定された状態を維持できる。これによれば、ユーザーは、所定動作が終了した後に、操作部を操作して所定の設定を行うことができるため、電子時計の使い易さを向上できる。
【０００８】
本発明の電子時計において、前記モード設定部は、第三モードを設定でき、前記第二モードが設定された後、前記継続時間が前記所定時間に達すると、前記第一モードおよび前記第三モードのうち、直前に設定されていたモードを設定することが好ましい。
【０００９】
例えば、ユーザーが、第三モードにおいて所定の機能を実行させている途中で、操作部を操作して第二モードを設定した場合などに、本発明によれば、第二モードが解除された後、第三モードを設定できるため、例えば常に第一モードが設定される場合と比べて、電子時計の使い易さを向上できる。
【００１０】
本発明の電子時計は、操作部と、第一モード、および、前記操作部の設定操作に応じて所定の設定を行うことが可能な第二モードを設定するモード設定部と、計測部と、時刻表示以外の所定動作を実行する所定動作部と、前記所定の設定が行われることを規制する規制部と、を備え、前記モード設定部は、前記操作部のモード切替操作に応じて前記第二モードを設定し、前記計測部は、前記第二モードが設定された場合、前記所定動作が実行されておらず、かつ、前記操作部の操作が行われていない状態の継続時間をカウントし、前記規制部は、前記第二モードが設定された後、前記継続時間が所定時間に達すると、前記所定の設定が行われることを規制することを特徴とする。
【００１１】
第二モードは、アラーム設定モードなどであり、所定の設定は、アラーム時刻の設定などである。
本発明によれば、所定動作が実行されている間は、前記継続時間のカウントは行われない。このため、第二モードが設定された後、所定動作が実行された場合、ユーザーが、所定動作が終了するまで操作部を操作せずにいても、前記継続時間が所定時間に達することはないため、所定動作が終了した後に、所定の設定が行われることが規制されていない状態を維持できる。これによれば、ユーザーは、所定動作が終了した後に、操作部を操作して所定の設定を行うことができるため、電子時計の使い易さを向上できる。
【００１２】
本発明の電子時計において、前記計測部は、実行されていた前記所定動作が終了すると、初期値からカウントを再開することが好ましい。
【００１３】
本発明によれば、所定動作が終了した後、所定の設定を行うことができる時間を、所定時間、確実に確保できる。
【００１４】
本発明の電子時計において、前記計測部は、実行されていた前記所定動作が終了すると、前記所定動作が実行される直前のカウント値からカウントを再開することが好ましい。
【００１５】
例えば、第二モードが設定された後、所定時間が経過する直前まで、操作部の操作が行われない場合は、ユーザーが所定の設定を行いたいと考えている可能性は低いと判断できる。本発明によれば、このような場合に所定動作が実行された場合は、所定の動作が終了した後、すぐに継続時間が所定時間に達し、所定の設定ができなくなる。このため、例えば、ユーザーが意図せず操作部に触ってしまい、所定の設定が行われてしまうことを抑制できる。
【００１６】
本発明の電子時計は、操作部と、第一モード、および、前記操作部の設定操作に応じて所定の設定を行うことが可能な第二モードを設定するモード設定部と、計測部と、時刻表示以外の所定動作を実行する所定動作部と、を備え、前記計測部は、前記第二モードが設定された場合、前記操作部の操作が行われていない状態の継続時間をカウントし、前記所定動作部は、前記所定動作を実行した後、動作時間が設定時間に達すると、前記所定動作を終了し、前記モード設定部は、前記操作部のモード切替操作に応じて前記第二モードを設定し、前記第二モードが設定され、かつ、前記所定動作が実行されない場合、前記継続時間が所定時間に達すると、前記第二モードに替えて前記第一モードを設定し、前記第二モードが設定され、かつ、前記所定動作が実行された場合、前記継続時間が、前記所定時間に前記設定時間以上の時間を加算した加算時間に達すると、前記第二モードに替えて前記第一モードを設定することを特徴とする。
【００１７】
本発明によれば、第二モードが設定され、かつ、所定動作が実行された場合、前記継続時間が、所定時間に設定時間以上の時間を加算した加算時間に達すると、第一モードが設定される。このため、第二モードが設定された後、所定動作が実行された場合、ユーザーが、所定動作が終了するまで操作部を操作せずにいても、前記継続時間が加算時間に達することはないため、所定動作が終了した後に、第二モードが設定された状態を維持できる。これによれば、ユーザーは、所定動作が終了した後に、操作部を操作して所定の設定を行うことができるため、電子時計の使い易さを向上できる。
一方、第二モードが設定され、かつ、所定動作が実行されない場合は、前記継続時間が所定時間に達すると、第一モードが設定される。
【００１８】
本発明の電子時計において、前記モード設定部は、第三モードを設定でき、前記第二モードが設定された後、前記継続時間が前記所定時間に達すると、前記第一モードおよび前記第三モードのうち、直前に設定されていたモードを設定することが好ましい。
【００１９】
例えば、ユーザーが、第三モードにおいて所定の機能を実行させている途中で、操作部を操作して第二モードを設定した場合などに、本発明によれば、第二モードが解除された後、第三モードを設定できるため、例えば常に第一モードが設定される場合と比べて、電子時計の使い易さを向上できる。
【００２０】
本発明の電子時計は、操作部と、第一モード、および、前記操作部の設定操作に応じて所定の設定を行うことが可能な第二モードを設定するモード設定部と、計測部と、時刻表示以外の所定動作を実行する所定動作部と、前記所定の設定が行われることを規制する規制部と、を備え、前記モード設定部は、前記操作部のモード切替操作に応じて前記第二モードを設定し、前記計測部は、前記第二モードが設定された場合、前記操作部の操作が行われていない状態の継続時間をカウントし、前記所定動作部は、前記所定動作を実行した後、動作時間が設定時間に達すると、前記所定動作を終了し、前記規制部は、前記第二モードが設定され、かつ、前記所定動作が実行されない場合、前記継続時間が所定時間に達すると、前記所定の設定が行われることを規制し、前記第二モードが設定され、かつ、前記所定動作が実行された場合、前記継続時間が、前記所定時間に前記設定時間以上の時間を加算した加算時間に達すると、前記所定の設定が行われることを規制することを特徴とする。
【００２１】
本発明によれば、第二モードが設定され、かつ、所定動作が実行された場合、前記継続時間が、所定時間に設定時間以上の時間を加算した加算時間に達すると、所定の設定が行われることが規制される。このため、第二モードが設定された後、所定動作が実行された場合、例えば、ユーザーが、所定動作が終了するまで操作部を操作せずにいても、前記継続時間が加算時間に達することはないため、所定動作が終了した後に、所定の設定が行われることが規制されてない状態を維持できる。これによれば、ユーザーは、所定動作が終了した後に、操作部を操作して所定の設定を行うことができ、電子時計の使い易さを向上できる。
一方、第二モードが設定され、かつ、所定動作が実行されない場合は、前記継続時間が所定時間に達すると、所定の設定が行われることが規制される。
【００２２】
本発明の電子時計において、前記所定動作部は、前記所定動作を実行した後、動作時間が設定時間に達すると、前記所定動作を終了し、前記所定時間は、前記設定時間以下であることが好ましい。
【００２３】
第二モードが例えばアラーム設定モードである場合、ユーザーは、当該モードでアラーム時刻を確認するだけで、例えばアラーム時刻の設定を行わない場合がある。このような場合は、アラーム時刻の誤設定などを防止するため、当該モードが設定されてから、例えば１０秒以内など、比較的早めにアラーム時刻の設定ができないようになることが望ましい。
また、所定動作が、例えば、アラーム鳴鐘の場合、アラーム時刻をユーザーに確実に報知するため、アラーム鳴鐘時間は、例えば２０秒以上など、比較的長めに設定されることが望ましい。
このため、所定時間が設定時間以下であることで、所定時間が設定時間よりも長い場合と比べて、電子時計をより使い易くできる。
【００２４】
本発明の電子時計において、前記所定動作は、アラーム鳴鐘であることが好ましい。
【００２５】
本発明によれば、アラーム鳴鐘時間を比較的長めに設定していても、ユーザーは、アラーム鳴鐘が終了した後に、操作部を操作して所定の設定を行うことができる。このため、アラーム時刻をユーザーに確実に報知でき、かつ、電子時計の使い易さを向上できる。
【００２６】
本発明の電子時計において、アラーム機能部、または、前記操作部の操作に応じて選択されたタイムゾーンの現在時刻を設定するワールドタイム機能部を備え、前記所定の設定は、アラーム時刻の設定、または、前記現在時刻の設定であることが好ましい。
【００２７】
本発明によれば、第二モードが設定された後、所定動作が実行された場合、ユーザーは、所定動作が終了するまで操作部を操作せずにいても、所定動作が終了した後に、操作部を操作してアラーム時刻の設定、または、前記現在時刻の設定を行うことができる。
【図面の簡単な説明】
【００２８】
【図１】本発明の第１実施形態に係るアナログ電子時計の正面図。
【図２】第１実施形態におけるアナログ電子時計の構成を示すブロック図。
【図３】第１実施形態におけるアラーム設定モードが設定されたアナログ電子時計の正面図。
【図４】第１実施形態におけるモード切替動作を示すフローチャート。
【図５】本発明の第２実施形態に係るアナログ電子時計の正面図。
【図６】第２実施形態におけるアナログ電子時計の構成を示すブロック図。
【図７】本発明の第３実施形態に係るアナログ電子時計の正面図。
【図８】第３実施形態におけるアナログ電子時計の構成を示すブロック図。
【発明を実施するための形態】
【００２９】
［第１実施形態］
図１は、アナログ電子時計１を示す正面図である。ここで、アナログ電子時計１は、電子時計の一例である。
図１に示すように、アナログ電子時計１は、円形の文字板２を備えている。文字板２には、時計表面側から見て、中心から１２時方向にずれた位置に円形の第１小窓２０が設けられ、中心から９時方向にずれた位置に円形の第２小窓３０が設けられ、中心から６時方向にずれた位置に円形の第３小窓６０が設けられている。
【００３０】
また、アナログ電子時計１は、通常の時刻表示を行う基本時計用指針としての時針１１、分針１２、秒針３１を備えている。時針１１、分針１２は、回転軸が文字板２の中心に位置している。秒針３１は、第２小窓３０に配置されている。
【００３１】
また、アナログ電子時計１は、回転軸が文字板２の中心に位置しているセンター針である第２指針１３を備えている。
そして、文字板２の外周表面には、世界各地の都市名を表す都市情報７１が、外周に沿って表記されている。これらの都市情報７１を第２指針１３が指示することで、選択されているタイムゾーンの代表都市名が表示される。
また、文字板２の外周表面には、都市情報７１の内側に、アラーム鳴鐘が有効とされていることを表す「ＡＬ−ＯＮ」との記号と、アラーム鳴鐘が無効とされていることを表す「ＡＬ−ＯＦＦ」との記号が表記されている。これらの記号を第２指針１３が指示することで、アラーム鳴鐘が有効か、無効かが表示される。
【００３２】
また、アナログ電子時計１は、第１小窓２０に配置されたモード針としての第１指針２１を備えている。そして、第１小窓２０の周囲には、「ＡＬ」および「ＷＴ」の文字が表記されている。第１指針２１は、「ＡＬ」を指示することで、アラーム時刻を設定できるアラーム設定モードが設定されていることを表示する。また、第１指針２１は、「ＷＴ」を指示することで、後述するワールドタイムモードが設定されていることを表示する。
【００３３】
また、アナログ電子時計１は、第３小窓６０に配置された副時針６１、副分針６２を備えて構成された副時分針６３を備えている。副時分針６３は、アラーム時刻や後述するワールドタイムを表示する。ここで、副時分針６３は、２４時間制でアラーム時刻やワールドタイムを表示する。
また、アナログ電子時計１には、操作部としてのリューズ３と、Ａボタン４と、Ｂボタン５とが設けられている。
【００３４】
図２は、アナログ電子時計１の構成を示すブロック図である。
図２に示すように、各指針１１〜１３，２１，３１，６１，６２は、５つのステップモーターでそれぞれ駆動される。すなわち、秒針３１は、秒針用ステップモーター４１で駆動され、時針１１、分針１２は、時分針用ステップモーター４２で駆動され、第１指針２１は、第１指針用ステップモーター４３で駆動され、第２指針１３は、第２指針用ステップモーター４４で駆動され、副時分針６３（副時針６１および副分針６２）は、副時分針用ステップモーター４５で駆動される。なお、時針１１、分針１２、秒針３１は、共通のステップモーターで駆動されてもよい。
【００３５】
これらの各ステップモーター４１〜４５の駆動制御を行うために、アナログ電子時計１には、駆動制御回路５０が内蔵されている。
駆動制御回路５０は、第１スイッチ検出部５１Ａ、第２スイッチ検出部５１Ｂ、第３スイッチ検出部５１Ｃ、制御部５８、秒針駆動制御部５３、時分針駆動制御部５４、第１指針駆動制御部５５、第２指針駆動制御部５６、副時分針駆動制御部５７を備えている。
また、制御部５８は、アナログ電子時計１における各種処理を行うものであり、モード設定部５８１、計測部５８２、ワールドタイム機能部５８３、アラーム機能部５８４、表示制御部５８５を備える。
【００３６】
第１スイッチ検出部５１Ａは、Ａボタン４の押し込み操作を検出し、押し込み操作があった場合にその検出信号を制御部５８に出力する。
第２スイッチ検出部５１Ｂは、Ｂボタン５の押し込み操作を検出し、押し込み操作があった場合にその検出信号を制御部５８に出力する。
第３スイッチ検出部５１Ｃは、リューズ３の操作を検出し、操作があった場合に操作に応じた検出信号を制御部５８に出力する。
【００３７】
モード設定部５８１は、モードを設定する。本実施形態では、モード設定部５８１は、通常モードであり、第一モードとしてのワールドタイムモードと、第二モードとしてのアラーム設定モードとを切り替えて設定する。
計測部５８２は、時間をカウントする。
【００３８】
ワールドタイム機能部５８３は、操作部の設定操作に応じて、世界各地の都市が属するタイムゾーンの中からいずれかを選択し、選択したタイムゾーンの現在時刻（ワールドタイム）を設定する。
【００３９】
アラーム機能部５８４は、基本時計の時刻が予め設定されたアラーム時刻になると、アナログ電子時計１が備える図示しないブザーを鳴鐘させるアラーム鳴鐘を実行する。また、アラーム機能部５８４は、アラーム鳴鐘を実行した後、動作時間が設定時間（予め設定されたアラーム鳴鐘時間）に達すると、アラーム鳴鐘を終了する。設定時間は、本実施形態では、２０秒に設定されている。なお、アラーム鳴鐘の実効中、Ａボタン４およびＢボタン５のいずれかが押されると、ただちにアラーム鳴鐘を終了する。なお、アラーム機能部５８４は、基本時計の時刻ではなく、ワールドタイムがアラーム時刻になった場合に、アラーム鳴鐘を実行することもできる。
ここで、アラーム機能部５８４は、所定動作部の一例であり、アラーム鳴鐘は、所定動作の一例である。
また、アラーム機能部５８４は、操作部の設定操作に応じて、アラーム鳴鐘の有効無効の設定やアラーム時刻の設定を行う。
【００４０】
表示制御部５８５は、秒針駆動制御部５３、時分針駆動制御部５４、第１指針駆動制御部５５、第２指針駆動制御部５６、副時分針駆動制御部５７を制御して各指針を移動させる。
なお、制御部５８の各機能の詳細については後述する。
【００４１】
秒針駆動制御部５３は、水晶振動子等の基準信号発生回路から出力される基準信号（例えば１Ｈｚの信号）を利用してモーター駆動パルスを出力し、秒針用ステップモーター４１を制御して、秒針３１の駆動を制御する。
時分針駆動制御部５４は、前記基準信号を利用してモーター駆動パルスを出力し、時分針用ステップモーター４２を制御して、時針１１、分針１２の駆動を制御する。
第１指針駆動制御部５５は、前記基準信号を利用してモーター駆動パルスを出力し、第１指針用ステップモーター４３を制御して、第１指針２１の駆動を制御する。
第２指針駆動制御部５６は、前記基準信号を利用してモーター駆動パルスを出力し、第２指針用ステップモーター４４を制御して、第２指針１３の駆動を制御する。
副時分針駆動制御部５７は、前記基準信号を利用してモーター駆動パルスを出力し、副時分針用ステップモーター４５を制御して、副時針６１、副分針６２の駆動を制御する。
【００４２】
［ワールドタイムモードでの表示］
本実施形態では、通常モードが、操作部の操作に応じて選択されたタイムゾーンの現在時刻であるワールドタイムが副時分針６３において表示されるワールドタイムモードである。
ワールドタイムモードが設定されている場合、図１に示すように、第１指針２１は、「ＷＴ」の文字を指示して、ワールドタイムモードが設定されていることを表示する。
副時分針６３は、ワールドタイムの時分を表示する。
第２指針１３は、選択されているタイムゾーンに対応する都市名を表示する。
時針１１、分針１２、秒針３１は、基本時計の現在時刻の時分秒を表示する。
【００４３】
［ワールドタイムモードでの操作］
ワールドタイムモードでは、ワールドタイム機能部５８３は、Ａボタン４の操作に応じて、世界各地の都市が属するタイムゾーンの中からいずれかを選択する。そして、Ｂボタン５の操作に応じて、選択したタイムゾーンの現在時刻（ワールドタイム）を設定する。これにより、表示制御部５８５は、副時分針駆動制御部５７を制御して、副時分針６３に設定されたワールドタイムを表示させる。
【００４４】
［ワールドタイムモードでのモード切替］
ワールドタイムモードでは、Ａボタン４が長押し（３秒以上）され、モード切替操作が行われると、モード設定部５８１は、ワールドタイムモードに替えて、アラーム時刻を設定できるアラーム設定モードを設定する。
【００４５】
［アラーム設定モードでの表示］
アラーム設定モードが設定された場合、表示制御部５８５は、以下の表示となるように各駆動制御部を制御する。具体的には、図３に示すように、第１指針２１は、「ＡＬ」の文字を指示して、アラーム設定モードが設定されていることを表示する。
副時分針６３は、早送りで移動し、アラーム時刻の時分を表示する。
第２指針１３は、早送りで移動し、「ＡＬ−ＯＮ」または「ＡＬ−ＯＦＦ」を指示することで、アラーム鳴鐘が有効か、無効かを表示する。
時針１１、分針１２、秒針３１は、基本時計の現在時刻の時分秒の表示を継続する。
【００４６】
［アラーム設定モードでの操作］
アラーム設定モードでは、アラーム機能部５８４は、Ａボタン４の操作に応じて、アラーム鳴鐘の有効、無効を切り替える。また、Ｂボタン５の操作に応じて、アラーム時刻を設定する。ここで、アラーム鳴鐘の有効無効の設定、および、アラーム時刻の設定は、所定の設定の一例である。
【００４７】
［アラーム設定モードでのモード切替］
図４は、アラーム設定モードが設定された場合のモード切替動作を示すフローチャートである。
図４に示すように、アラーム設定モードが設定されると、表示制御部５８５は、前述のアラーム設定モードでの表示となるように第１指針２１、副時分針６３、第２指針１３を移動させる。計測部５８２は、カウント値を初期化し、予め設定された初期値に設定する（Ｓ１１）。初期値には、モードを自動的に切り替える基準となる時間であるモード自動切替時間（所定時間）が設定される。本実施形態では、モード自動切替時間は、アラーム鳴鐘時間以下に設定され、具体的には、１０秒に設定されている。
次に、計測部５８２は、第１スイッチ検出部５１Ａおよび第２スイッチ検出部５１Ｂから出力された検出信号に基づいて、Ａボタン４またはＢボタン５が操作されたか否かを判定する（Ｓ１２）。
Ｓ１２でＹＥＳと判定された場合、計測部５８２は、処理をＳ１１に戻し、１秒後にＳ１１の処理を実行する。
【００４８】
Ｓ１２でＮＯと判定された場合、計測部５８２は、アラーム鳴鐘が実行中か否かを判定する（Ｓ１３）。
Ｓ１３でＹＥＳと判定された場合、計測部５８２は、処理をＳ１１に戻し、１秒後にＳ１１の処理を実行する。
Ｓ１３でＮＯと判定された場合、計測部５８２は、カウント値を１秒減算する（Ｓ１４）。
そして、モード設定部５８１は、カウント値が０であるか否かを判定する（Ｓ１５）。
Ｓ１５でＮＯと判定された場合、モード設定部５８１は、処理をＳ１２に戻し、１秒後に、計測部５８２は、Ｓ１２の処理を実行する。
Ｓ１５でＹＥＳと判定された場合、すなわち、アラーム設定モードが設定されてからモード自動切替時間である１０秒が経過した場合、モード設定部５８１は、通常モードを設定し（Ｓ１６）、処理を終了する。
なお、通常モードが設定されると、副時分針６３は、早送りで移動し、ワールドタイムの時分を２４時間表示で表示する。また、第２指針１３は、早送りで移動し、選択されているタイムゾーンに対応する都市名を表示する。第１指針２１は、「ＷＴ」の文字を指示する。
【００４９】
以上の処理により、計測部５８２は、第二モードとしてのアラーム設定モードが設定された場合、アラーム鳴鐘が実行されておらず、かつ、各ボタン４，５の操作が行われていない状態の継続時間をカウントできる。なお、本実施形態では、前記継続時間のカウントは、カウントダウン形式で行われているが、カウントアップ形式で行われてもよい。
また、計測部５８２は、アラーム鳴鐘が終了すると、初期値からカウントを再開できる。
そして、モード設定部５８１は、アラーム設定モードが設定された後、前記継続時間がモード自動切替時間（１０秒）に達すると、通常モードを設定できる。
【００５０】
［第１実施形態の作用効果］
アナログ電子時計１によれば、アラーム鳴鐘が実行されている間は、上記継続時間のカウントは行われない。このため、アラーム設定モードが設定された後、アラーム鳴鐘が実行された場合、ユーザーが、アラーム鳴鐘が終了するまで操作部を操作せずにいても、前記継続時間がモード自動切替時間に達することはないため、アラーム鳴鐘が終了した後に、アラーム設定モードが設定された状態を維持できる。これによれば、ユーザーは、アラーム鳴鐘が終了した後に、操作部を操作してアラーム鳴鐘の有効無効の設定やアラーム時刻の設定（所定の設定）を行うことができるため、アナログ電子時計１の使い易さを向上できる。
また、アラーム鳴鐘が終了した後、所定の設定を行うことができる時間を、モード自動切替時間、確実に確保できる。
【００５１】
ユーザーは、アラーム設定モードでアラーム時刻を確認するだけで、例えばアラーム時刻の設定を行わない場合がある。このような場合は、アラーム時刻の誤設定などを防止するため、当該モードが設定されてから、例えば１０秒以内など、比較的早めにアラーム時刻の設定ができないようになることが望ましい。
また、アラーム時刻をユーザーに確実に報知するため、アラーム鳴鐘時間は、例えば２０秒以上など、比較的長めに設定されることが望ましい。
アナログ電子時計１によれば、モード自動切替時間がアラーム鳴鐘時間以下であるため、モード自動切替時間がアラーム鳴鐘時間よりも長い場合と比べて、アナログ電子時計１をより使い易くできる。
【００５２】
アラーム鳴鐘時間を比較的長めに設定していても、ユーザーは、アラーム鳴鐘が終了した後に、操作部を操作して所定の設定を行うことができる。このため、アラーム時刻をユーザーに確実に報知でき、かつ、アナログ電子時計１の使い易さを向上できる。
【００５３】
［第２実施形態］
第１実施形態のアナログ電子時計１は、第一モードとしてワールドタイムモードを有しているが、第２実施形態のアナログ電子時計１Ａは、第一モードとしてクロノグラフモードを有している。アナログ電子時計１Ａのその他の構成は、アナログ電子時計１と同様である。なお、アナログ電子時計１Ａについて、アナログ電子時計１と同じ構成については、同じ符号を付け、説明は省略する。
【００５４】
アナログ電子時計１Ａでは、図５に示すように、第１小窓２０の周囲には、「ＡＬ」の文字の他に、「ＣＨＲ」の文字が表記されている。第１指針２１は、「ＣＨＲ」を指示することで、時間を計測できるクロノグラフモードが設定されていることを表示する。
また、第２指針１３は、アラーム鳴鐘の有効無効を表示する他、文字板２の外周に表記された１周を６０分割にする目盛を指示することで、計測時間の秒（クロノグラフ秒）を表示する。
また、副時分針６３は、アラーム時刻の他に、計測時間の時分（クロノグラフ時分）を表示する。
【００５５】
また、アナログ電子時計１Ａでは、図６に示すように、制御部５８Ａは、モード設定部５８１、計測部５８２、アラーム機能部５８４、表示制御部５８５の他に、時間を計測するクロノグラフ機能部５８６を備える。
【００５６】
［クロノグラフモードでの表示］
本実施形態では、通常モードが、クロノグラフモードである。
クロノグラフモードが設定されている場合、図５に示すように、第１指針２１は、「ＣＨＲ」の文字を指示して、クロノグラフモードが設定されていることを表示する。
副時分針６３は、初期状態では０時０分位置で停止しており、クロノグラフの計測が開始されると、計測時間の時分を表示する。
第２指針１３は、初期状態では０秒位置で停止しており、クロノグラフの計測が開始されると、計測時間の秒を表示する。
時針１１、分針１２、秒針３１は、基本時計の現在時刻の時分秒を表示する。
【００５７】
［クロノグラフモードでの操作］
クロノグラフモードでは、クロノグラフ機能部５８６は、初期状態（リセット状態）でＡボタン４が押されると、時間計測をスタートする。
クロノグラフ機能部５８６は、時間計測中に、Ａボタン４が押されると時間計測をストップする。
クロノグラフ機能部５８６は、時間計測がストップしている状態で、Ａボタン４が押されると時間計測を再スタートする。一方、Ｂボタン５が押されると時間計測をリセットする。
【００５８】
また、クロノグラフ機能部５８６は、時間計測中に、Ｂボタン５が押されるとスプリット機能を実行し、スプリットタイムを取得する。
クロノグラフ機能部５８６は、時間計測中に、スプリット機能が実行されている状態で、Ａボタン４が押されるとスプリット機能を解除せずに時間計測をストップする。一方、Ｂボタン５が押されるとスプリット機能を解除する。
クロノグラフ機能部５８６は、スプリット機能が実行され、かつ、時間計測がストップしている状態で、Ａボタン４が押されると時間計測を再スタートする。一方、Ｂボタン５が押されるとスプリット機能を解除する。
【００５９】
［クロノグラフモードでのモード切替］
クロノグラフモードでは、時間計測がリセットされた状態で、Ｂボタン５が押され、モード切替操作が行われると、モード設定部５８１は、クロノグラフモードに替えて、アラーム設定モードを設定する。
【００６０】
なお、アナログ電子時計１Ａにおける、アラーム設定モードでの表示、操作部の操作に応じた動作、モード切替動作は、第１実施形態と同様である。
【００６１】
本実施形態においても、第１実施形態と同様の構成により、同様の作用効果を得ることができる。
【００６２】
［第３実施形態］
第１実施形態のアナログ電子時計１は、第一モードとしてワールドタイムモードを有し、第二モードとしてアラーム設定モードを有している。第２実施形態のアナログ電子時計１Ａは、第一モードとしてクロノグラフモードを有し、第二モードとしてアラーム設定モードを有している。これに対して、第３実施形態のアナログ電子時計１Ｂは、第一モードとしてクロノグラフモードを有し、第二モードとしてワールドタイムモードおよびアラーム設定モードを有している。アナログ電子時計１Ｂのその他の構成は、アナログ電子時計１，１Ａと同様である。なお、アナログ電子時計１Ｂについて、アナログ電子時計１，１Ａと同じ構成については、同じ符号を付け、説明は省略する。
【００６３】
アナログ電子時計１Ｂでは、図７に示すように、第１小窓２０の周囲には、「ＡＬ」、「ＷＴ」、「ＣＨＲ」の文字が表記されている。これらの文字を第１指針２１が指示することで、アラーム設定モード、ワールドタイムモード、クロノグラフモードが設定されていることが表示される。
また、第２指針１３は、アラーム鳴鐘の有効無効、選択されているタイムゾーンの代表都市名、クロノグラフモードでの計測時間の秒を表示する。
また、副時分針６３は、アラーム時刻、ワールドタイム、計測時間の時分を表示する。
【００６４】
また、アナログ電子時計１Ｂでは、図８に示すように、制御部５８Ｂは、モード設定部５８１、計測部５８２、ワールドタイム機能部５８３、アラーム機能部５８４、表示制御部５８５、クロノグラフ機能部５８６、規制部５８７を備える。
規制部５８７は、アラーム設定モードにおいて、操作部の設定操作に応じたアラーム鳴鐘の有効無効の設定やアラーム時刻の設定（所定の設定）が行われることを規制する。
【００６５】
本実施形態では、通常モードが、クロノグラフモードである。
アナログ電子時計１Ｂにおける、クロノグラフモードでの表示、操作部の操作に応じた動作は、第２実施形態におけるクロノグラフモードと同様である。
本実施形態では、クロノグラフモードにおいて、時間計測がリセットされた状態で、Ｂボタン５が押され、モード切替操作が行われると、モード設定部５８１は、クロノグラフモードに替えて、ワールドタイムモードを設定する。
【００６６】
アナログ電子時計１Ｂにおける、ワールドタイムモードでの表示、操作部の操作に応じた動作は、第１実施形態と同様である。また、ワールドタイムモードにおけるモード切替動作は、第１実施形態および第２実施形態における第二モード（アラーム設定モード）のモード切替動作と同様である。すなわち、モード設定部５８１は、ワールドタイムモードが設定された後、アラーム鳴鐘が実行されていない期間において、各ボタン４，５の操作が行われていない状態の継続時間が所定時間に達すると、通常モードであるクロノグラフモードを設定する。
【００６７】
また、アナログ電子時計１Ｂでは、クロノグラフモードまたはワールドタイムモードが設定されている状態で、リューズ３が１段引かれると、モード設定部５８１は、アラーム設定モードを設定する。
アナログ電子時計１Ｂにおける、アラーム設定モードでの表示、操作部の操作に応じた動作は、第１実施形態および第２実施形態におけるアラーム設定モードと同様である。
【００６８】
また、アナログ電子時計１Ｂでは、計測部５８２は、アラーム設定モードが設定された場合、第１実施形態および第２実施形態において第二モードが設定された場合と同様に、アラーム鳴鐘が実行されておらず、かつ、各ボタン４，５の操作が行われていない状態の継続時間をカウントする。
そして、規制部５８７は、アラーム設定モードが設定された後、前記継続時間が、アラーム鳴鐘の有効無効の設定やアラーム時刻の設定（所定の設定）が行われることを自動的に規制する基準となる時間である自動規制時間（所定時間）に達すると、所定の設定が行われることを規制する。すなわち、規制されている状態で各ボタン４，５の操作が行われても、アラーム機能部５８４はその操作を無効とする。
【００６９】
また、モード設定部５８１は、リューズ３が１段引かれた状態からアナログ電子時計１Ｂの中心に向かって押し込まれると、通常モードであるクロノグラフモードを設定する。
【００７０】
［第３実施形態の作用効果］
本実施形態においても、第１実施形態および第２実施形態と同様の構成により、同様の作用効果を得ることができる。
すなわち、アナログ電子時計１Ｂによれば、アラーム鳴鐘が実行されている間は、上記継続時間のカウントは行われない。このため、ワールドタイムモードが設定された後、アラーム鳴鐘が実行された場合、ユーザーが、アラーム鳴鐘が終了するまで操作部を操作せずにいても、前記継続時間がモード自動切替時間に達することはないため、アラーム鳴鐘が終了した後に、ワールドタイムモードが設定された状態を維持できる。これによれば、ユーザーは、アラーム鳴鐘が終了した後に、操作部を操作してワールドタイムの設定（所定の設定）を行うことができるため、アナログ電子時計１Ｂの使い易さを向上できる。
【００７１】
また、ユーザーは、ワールドタイムモードでワールドタイムを確認するだけで、例えばワールドタイムの設定を行わない場合がある。このような場合は、ワールドタイムの誤設定などを防止するため、当該モードが設定されてから、例えば１０秒以内など、比較的早めにワールドタイムの設定ができないようになることが望ましい。
また、アラーム鳴鐘時間は、例えば２０秒以上など、比較的長めに設定されることが望ましい。
アナログ電子時計１Ｂによれば、モード自動切替時間がアラーム鳴鐘時間以下であるため、モード自動切替時間がアラーム鳴鐘時間よりも長い場合と比べて、アナログ電子時計１Ｂをより使い易くできる。
【００７２】
さらに、アナログ電子時計１Ｂによれば、次の効果を得ることができる。
すなわち、アナログ電子時計１Ｂによれば、アラーム設定モードが設定された後、アラーム鳴鐘が実行された場合、ユーザーが、アラーム鳴鐘が終了するまで操作部を操作せずにいても、上記継続時間が自動規制時間に達することはないため、アラーム鳴鐘が終了した後に、アラーム鳴鐘の有効無効の設定やアラーム時刻の設定（所定の設定）が行われることが規制されてない状態を維持できる。これによれば、ユーザーは、アラーム鳴鐘が終了した後に、操作部を操作して所定の設定を行うことができるため、アナログ電子時計１Ｂの使い易さを向上できる。
【００７３】
［他の実施形態］
なお、本発明は前述の各実施形態に限定されるものではなく、本発明の目的を達成できる範囲での変形、改良等は本発明に含まれるものである。
【００７４】
前記第１実施形態では、通常モードがワールドタイムモードであり、ワールドタイムモードにおいてＡボタン４が長押しされると、アラーム設定モードが設定されるが、本発明はこれに限定されない。例えば、通常モードがアラーム設定モードであり、アラーム設定モードにおいてＡボタン４が長押しされ、モード切替操作が行われると、ワールドタイムモードが設定されるようにしてもよい。この場合、モード設定部５８１は、ワールドタイムモードが設定された後、アラーム鳴鐘が実行されておらず、かつ、各ボタン４，５の操作が行われていない状態の継続時間が、モード自動切替時間に達すると、通常モードであるアラーム設定モードを設定する。
【００７５】
前記各実施形態および前記他の実施形態では、計測部５８２は、アラーム鳴鐘が終了すると、初期値からカウントを再開しているが、本発明はこれに限定されない。
例えば、計測部５８２は、アラーム鳴鐘が終了すると、アラーム鳴鐘が実行される直前のカウント値からカウントを再開してもよい。
例えば、第二モードが設定された後、２秒後にアラーム鳴鐘が実行された場合、計測部５８２は、アラーム鳴鐘が終了した後、２秒からカウントを再開する。
ここで、例えば、第二モードが設定された後、所定時間（モード自動切替時間または自動規制時間）が経過する直前まで、操作部の操作が行われない場合は、ユーザーが所定の設定を行いたいと考えている可能性は低いと判断できる。上記構成によれば、このような場合にアラーム鳴鐘が実行された場合は、アラーム鳴鐘が終了した後、すぐに上記継続時間が所定時間に達し、所定の設定ができなくなる。このため、例えば、ユーザーが意図せず操作部に触ってしまい、所定の設定が行われてしまうことを抑制できる。
【００７６】
前記各実施形態および前記他の実施形態では、計測部５８２は、第二モードが設定された場合、アラーム鳴鐘が実行されておらず、かつ、各ボタン４，５の操作が行われていない状態の継続時間をカウントしている。そして、モード設定部５８１は、前記継続時間がモード自動切替時間に達すると、通常モードを設定する。また、第３実施形態では、規制部５８７は、前記継続時間が自動規制時間に達すると、所定の設定を規制する。しかしながら、本発明はこれに限定されない。
例えば、計測部５８２が、アラーム鳴鐘が実行されているか否かにかかわらず、各ボタン４，５の操作が行われていない状態の継続時間をカウントする。
そして、モード設定部５８１が、第二モードが設定され、かつ、アラーム鳴鐘が実行されない場合、前記継続時間がモード自動切替時間に達すると、通常モードを設定する。また、第二モードが設定され、かつ、アラーム鳴鐘が実行された場合、前記継続時間が、自動切替時間にアラーム鳴鐘時間（設定時間）以上の時間を加算した加算時間に達すると、通常モードを設定するようにしてもよい。
これによれば、第二モードが設定され、かつ、アラーム鳴鐘が実行された場合、前記継続時間が、加算時間に達すると、通常モードが設定される。このため、第二モードが設定された後、アラーム鳴鐘が実行された場合、ユーザーが、アラーム鳴鐘が終了するまで操作部を操作せずにいても、前記継続時間が加算時間に達することはないため、アラーム鳴鐘が終了した後に、第二モードが設定された状態を維持できる。これによれば、ユーザーは、アラーム鳴鐘が終了した後に、操作部を操作して所定の設定を行うことができるため、アナログ電子時計の使い易さを向上できる。
【００７７】
また、第３実施形態において、第二モードとしてのアラーム設定モードが設定され、かつ、アラーム鳴鐘が実行された場合、前記継続時間が、自動規制時間にアラーム鳴鐘時間（設定時間）以上の時間を加算した加算時間に達すると、所定の設定を規制するようにしてもよい。例えば、自動規制時間が１０秒、アラーム鳴鐘時間が２０秒であるとすると、加算時間は３０秒以上である。
これによれば、第二モードとしてのアラーム設定モードが設定された後、アラーム鳴鐘が実行された場合、ユーザーが、アラーム鳴鐘が終了するまで操作部を操作せずにいても、前記継続時間が加算時間に達することはないため、アラーム鳴鐘が終了した後に、所定の設定が行われることが規制されていない状態を維持できる。これによれば、ユーザーは、アラーム鳴鐘が終了した後に、操作部を操作して所定の設定を行うことができるため、アナログ電子時計の使い易さを向上できる。
【００７８】
前記各実施形態および前記他の実施形態では、アラーム機能部５８４が所定動作部を構成し、アラーム鳴鐘が所定動作に相当しているが、本発明はこれに限定されない。
例えば、アナログ電子時計が、標準電波や衛星信号を受信する受信処理を実行する受信機能部を備えている場合、受信機能部が所定動作部を構成し、受信処理が所定動作に相当するようにしてもよい。つまり、所定動作部は、時刻表示以外の所定動作を実行する動作部であればよい。
【００７９】
前記各実施形態および前記他の実施形態において、モード設定部５８１によって第三モードを設定できるようにする。
例えば、第１実施形態の場合、第三モードとしてクロノグラフモードを設定できるようにする。
そして、モード設定部５８１が、第二モードが設定された後、所定動作が実行されておらず、かつ、各ボタン４，５の操作が行われていない状態の継続時間が所定時間に達すると、第一モードおよび第三モードのうち、直前に設定されていたモードを設定するようにしてもよい。
【００８０】
前記各実施形態および前記他の実施形態では、第一モードは、通常モードに設定されているが、本発明はこれに限定されない。すなわち、第一モードは、通常モードではなくてもよい。
【００８１】
前記第１実施形態および前記第２実施形態では、モード自動切替時間は、アラーム鳴鐘時間（設定時間）以下であるが、本発明はこれに限定されない。すなわち、モード自動切替時間は、アラーム鳴鐘時間より長くてもよい。
また、前記第３実施形態では、自動規制時間は、アラーム鳴鐘時間よりも長いが、本発明はこれに限定されない。すなわち、自動規制時間は、アラーム鳴鐘時間以下であってもよい。
【符号の説明】
【００８２】
１，１Ａ，１Ｂ…アナログ電子時計、１１…時針、１２…分針、１３…第２指針、２１…第１指針、３…リューズ、３１…秒針、４…Ａボタン、４１…秒針用ステップモーター、４２…時分針用ステップモーター、４３…第１指針用ステップモーター、４４…第２指針用ステップモーター、４５…副時分針用ステップモーター、５…Ｂボタン、５０…駆動制御回路、５１Ａ…第１スイッチ検出部、５１Ｂ…第２スイッチ検出部、５１Ｃ…第３スイッチ検出部、５３…秒針駆動制御部、５４…時分針駆動制御部、５５…第１指針駆動制御部、５６…第２指針駆動制御部、５７…副時分針駆動制御部、５８，５８Ａ，５８Ｂ…制御部、５８１…モード設定部、５８２…計測部、５８３…ワールドタイム機能部、５８４…アラーム機能部、５８５…表示制御部、５８６…クロノグラフ機能部、５８７…規制部、６１…副時針、６２…副分針、６３…副時分針。
【図１】
0006531679.tif 000002
【図２】
0006531679.tif 000003
【図３】
0006531679.tif 000004
【図４】
0006531679.tif 000005
【図５】
0006531679.tif 000006
【図６】
0006531679.tif 000007
【図７】
0006531679.tif 000008
【図８】
0006531679.tif 000009